(57)【要約】      （修正有）【課題】電子機器の位置ずれを抑制する非接触充電装置を提供する。【解決手段】非接触充電方式によって電子機器５０を充電する非接触充電装置１であって、電子機器５０が載置される載置面１１と、載置面１１に載置された電子機器５０を充電する充電器１０と、充電器１０を移動可能に収納する凹部２１を有する収納部２０とを備える。凹部２１は、底部２２と内壁２３とを含み、底部２２に充電器１０の凸部１３が載置されることで、充電器１０を移動可能に収納することにより、電子機器５０の位置ずれを抑制する。【選択図】図１
2016178837.tif 000002
【特許請求の範囲】
【請求項１】
非接触充電方式によって電子機器を充電する非接触充電装置であって、
前記電子機器が載置される載置面を有し、前記載置面に載置された前記電子機器を充電する充電器と、
前記充電器を移動可能に収納する凹部を有する収納部と
を備える、
非接触充電装置。
【発明の詳細な説明】
【技術分野】
【０００１】
本発明は、非接触充電装置に関する。
【背景技術】
【０００２】
従来から、非接触充電方式を採用した非接触充電装置の表面に電子機器を載置することにより、電子機器を充電する技術が知られている（例えば、特許文献１参照）。
【先行技術文献】
【特許文献】
【０００３】
【特許文献１】特開２０１１−０８３０６７号公報
【発明の概要】
【発明が解決しようとする課題】
【０００４】
しかしながら、非接触充電装置を車載用として用いる場合、車両の振動等により、非接触充電装置に載置される電子機器の位置がずれてしまい、充電効率が低下することがあった。
【０００５】
そこで、本発明の一つの案では、電子機器の位置ずれを抑制することを目的とする。
【課題を解決するための手段】
【０００６】
一つの案では、非接触充電方式によって電子機器を充電する非接触充電装置であって、前記電子機器が載置される載置面を有し、前記載置面に載置された前記電子機器を充電する充電器と、前記充電器を移動可能に収納する凹部を有する収納部とを備える、非接触充電装置が提供される。
【発明の効果】
【０００７】
一態様によれば、電子機器の位置ずれを抑制することができる。
【図面の簡単な説明】
【０００８】
【図１】本実施形態に係る非接触充電装置の概略斜視図である。
【図２】本実施形態に係る非接触充電装置の概略断面図である。
【図３】本実施形態に係る非接触充電装置の他の例を示す概略斜視図である。
【発明を実施するための形態】
【０００９】
本実施形態の非接触充電装置について添付の図面を参照しながら説明する。なお、本明細書及び図面において、実質的に同一の機能構成を有する構成要素については、同一の符号を付することにより重複した説明を省く。
【００１０】
本実施形態の非接触充電装置は、例えば車両に搭載される。以下の説明では、車両に搭載される場合を例として説明するが、本実施形態の非接触充電装置は、車両以外の振動を伴う飛行機、船舶等に搭載されてもよい。
【００１１】
図１は、本実施形態に係る非接触充電装置１の概略斜視図である。以下、説明の便宜上、図１におけるＬ方向、Ｗ方向及びＨ方向を、各々、車両の前後方向、左右方向及び上下方向とする。
【００１２】
図１に示すように、非接触充電装置１は、充電器１０と、収納部２０とを備え、充電器１０が収納部２０に対して移動可能に収納される充電装置である。なお、図１では、充電器１０を収納部２０から取り出した状態を示している。
【００１３】
充電器１０は、例えば矩形状であり、電子機器５０が載置される載置面１１を有する。充電器１０の載置面１１と反対側の面（以下「底面１２」という。）には、凸部１３が設けられていることが好ましい。これにより、充電器１０と収納部２０との間の摩擦抵抗が小さくなるため、充電器１０が収納部２０内をスムーズに移動することができると共に、充電器１０の底面１２が摩耗することを防止することができる。
【００１４】
凸部１３の形状としては、充電器１０と収納部２０との間の摩擦抵抗が小さくなる形状であることが好ましく、例えば半球状であることが好ましい。凸部１３の位置としては、充電器１０が収納部２０に収納されたときの安定性が高くなるような位置であることが好ましく、例えば充電器１０の底面１２の四隅に設けられることが好ましい。本実施形態では、図１に示すように、充電器１０の底面１２の四隅に半球状の凸部１３が設けられている。
【００１５】
充電器１０は、例えばその内部に送信側コイル（不図示）を有し、送信側コイルに電流を流すことで発生する磁界の変化を利用して、載置面１１に載置される電子機器５０の受信側コイル（不図示）に電力を発生させる非接触充電方式を用いた非接触型充電器である。充電器１０は、例えば、送信側コイルに電流を供給するための電源ケーブル及び／又はバッテリ（いずれも不図示）を有しており、電源ケーブル及び／又はバッテリから送信側コイルに電流が供給される。電子機器５０としては、充電器１０により充電可能な機器であれば特に限定されないが、例えばスマートフォン、携帯電話が挙げられる。
【００１６】
収納部２０は、例えば車両内のコンソールトレイ、ダッシュボードであり、充電器１０を移動可能に収納する凹部２１を有する。
【００１７】
凹部２１は、底部２２と内壁２３とを含み、底部２２に充電器１０の凸部１３が載置されることで、充電器１０を移動可能に収納する。
【００１８】
底部２２は、充電器１０の底面１２の大きさよりも大きい矩形をなしている。凹部２１の高さＤ１は、充電器１０の厚さＤ２よりも大きいことが好ましく、例えば車両が通常走行する際に発生しうる振動によって、充電器１０が凹部２１から飛び出さない高さとすることが好ましい。
【００１９】
内壁２３は、底部２２から上方向に延在する壁部である。
【００２０】
底部２２と内壁２３との境界部分は、充電器１０の凸部１３の形状と同一又は略同一の形状となっていることが好ましく、例えば図１に示すように、半球状の凸部１３に沿うような曲面形状であることが好ましい。これにより、充電器１０が内壁２３に接触することを抑制することができる。
【００２１】
内壁２３の上端部には、凹部２１の内側に向かって突出する突出部２４が形成されていることが好ましい。そして、突出部２４の下端と凹部２１の底部２２との間の距離は、充電器１０の厚さよりも長くなるように形成されている。この突出部２４により、車両の上下方向に振動が加わった場合であっても、凹部２１に載置された充電器１０が収納部２０から飛び出すことを抑制することができる。
【００２２】
次に、本実施形態に係る非接触充電装置１の作用・効果について、図２を参照しながら説明する。図２は、本実施形態に係る非接触充電装置１の概略断面図である。具体的には、図２（ａ）及び（ｂ）は非接触充電装置１を前後方向から視たときの概略断面図であり、図２（ｃ）は非接触充電装置１を左右方向から視たときの概略断面図である。なお、図２において、充電器１０の移動前の状態を点線で表し、充電器１０の移動後の状態を実線で表している。
【００２３】
車両の左右方向に振動が加わった場合、本実施形態では、充電器１０が収納部２０に固定されていないため、充電器１０は、図２（ａ）の矢印Ａに示すように、凹部２１内において振動に合わせて左右方向に移動する。このとき、充電器１０に載置された電子機器５０も充電器１０と共に振動に合わせて左右方向に移動する。このため、充電器１０に対する電子機器５０の相対的な位置関係は変化しないか、変化するとしてもわずかである。すなわち、充電器１０に対する電子機器５０の左右方向の位置ずれを抑制することができる。結果として、充電効率の低下を抑制することができる。
【００２４】
また、車両の上下方向に振動が加わった場合、本実施形態では、充電器１０が収納部２０に固定されていないため、充電器１０は、図２（ｂ）の矢印Ｂに示すように、凹部２１内において振動に合わせて上下方向に移動する。このとき、充電器１０に載置された電子機器５０も充電器１０と共に振動に合わせて上下方向に移動する。このため、充電器１０に対する電子機器５０の相対的な位置関係は変化しないか、変化するとしてもわずかである。すなわち、充電器１０に対する電子機器５０の上下方向の位置ずれを抑制することができる。結果として、充電効率の低下を抑制することができる。また、本実施形態では、凹部２１の内壁２３の上端部に突出部２４が設けられている。このため、充電器１０が前後方向のどちらか及び／又は左右方向のどちらかにずれていると、充電器１０は突出部２４に抵触して上方向に飛び出すことを防ぐことができる。
【００２５】
また、車両の前後方向に振動が加わった場合、本実施形態では、充電器１０が収納部２０に固定されていないため、充電器１０は、図２（ｃ）の矢印Ｃに示すように、凹部２１内において振動に合わせて前後方向に移動する。このとき、充電器１０に載置された電子機器５０も充電器１０と共に振動に合わせて前後方向に移動する。このため、充電器１０に対する電子機器５０の相対的な位置関係は変化しないか、変化するとしてもわずかである。すわなち、充電器１０に対する電子機器５０の前後方向の位置ずれを抑制することができる。結果として、充電効率の低下を抑制することができる。
【００２６】
以上に説明したように、本実施形態に係る非接触充電装置１は、電子機器５０が載置される載置面１１を有し、載置面１１に載置された電子機器５０を充電する充電器１０と、充電器１０を移動可能に収納する凹部２１を有する収納部２０とを備える。このため、電子機器５０の位置ずれを抑制することができる。
【００２７】
以上、非接触充電装置１を実施形態により説明したが、本発明は上記実施形態に限定されるものではなく、本発明の範囲内で種々の変形及び改良が可能である。
【００２８】
例えば図３に示すように、凹部２１の底部２２にガイド部２５が設けられていてもよい。ガイド部２５は、充電器１０が底部２２上を移動するときに、充電器１０が凹部２１の内壁２３と接触しないように、充電器１０の凸部１３に対してストッパーとして機能する壁部であり、ガイド部２５の高さは凸部１３の高さよりも低い高さとすることが好ましい。このガイド部２５により、車両の前後方向及び／又は左右方向に振動が加わった場合であっても、充電器１０が凹部２１の内壁２３と接触することを抑制することができる。
【符号の説明】
【００２９】
１    非接触充電装置
１０  充電器
１１  載置面
２０  収納部
２１  凹部
５０  電子機器
【図１】
2016178837.tif 000003
【図２】
2016178837.tif 000004
【図３】
2016178837.tif 000005